(57)【要約】      （修正有）【課題】本考案は、調整ユニットを螺合部によってより精密に調整する銃本体の弾道調整構造を提供する。【解決手段】銃身１内に連結され、調整ユニット２と、連結管体３と、複数の螺合部と、少なくとも１つの連動スリーブ４と、抑制部品５と、からなる。調整ユニット２を直接回転させて、連結管体３を押すことで後端の連動スリーブ４を移動させて、抑制部品５に抵触させ銃身の内壁を押圧することによって、ＢＢ弾が進む際に抑制部品に抵触することによって順回転力が生じる。螺合部によって調整ユニットがより精密に微調整される。【選択図】図１
0003214264.tif 000002
【実用新案登録請求の範囲】
【請求項１】
銃身内に連結される銃本体の弾道調整構造であって、
前記弾道調整構造は、
前記銃身の前端に設けられる調整ユニットと、
前記銃身内に設けられるとともに、前記調整ユニットに抵触し、前記調整ユニットによって移動する連結管体と、
前記調整ユニットに複数形成されるとともに、前記銃身に螺設され、前記調整ユニットを微調整する螺合部と、
前記連結管体における前記調整ユニットから離れた一端に設けられる少なくとも１つの連動スリーブと、
前記連動スリーブの一側に設けられ、前記連動スリーブに抵触されて銃身の内側を押圧する抑制部品と、からなることを特徴とする、銃本体の弾道調整構造。
【請求項２】
前記調整ユニットは、前記連結管体を移動させる内部調節部を備え、前記内部調節部の外環壁は複数の位置決め溝を備えるとともに、前記銃身と前記内部調節部の間には外部調節部が螺設され、前記外部調節部の内壁は、前記螺合部と対応して連結する複数の内ねじ部を備え、さらに前記外部調節部は、少なくとも１つの位置決め凸部と、両端が前記位置決め凸部及び前記銃身の内壁にそれぞれ連結される少なくとも１つの弾性部品を備えることを特徴とする、請求項１に記載の銃本体の弾道調整構造。
【請求項３】
前記銃身の後端に設けられるとともに、前記銃身及び前記調整ユニット及び前記連結管体を取り外して銃本体に連結させるための、前記連動スリーブ及び前記抑制部品を固定する固定ユニットをさらに備えることを特徴とする、請求項１に記載の銃本体の弾道調整構造。
【請求項４】
前記銃身は、外管部と、前記外管部の中に設けられてＢＢ弾を移動させる内管部と、前記外管部及び前記内管部の間に形成される少なくとも１つの活動空間とを備え、前記連動スリーブは、前記抑制部品に抵触させる少なくとも１つの抵触部と、前記連動スリーブを安定して水平移動させるための、前記内管部を被覆するとともに前記外管部の内側壁に抵触する少なくとも１つのリミット部とを備え、前記活動空間内は、前記連動スリーブを前記連結管体の方向に移動させるための、前記連動スリーブに連結されるリセット部品を備え、さらに前記内管部は隙間部を備えるとともに、前記内管部には可撓性スリーブが設けられ、前記可撓性スリーブにおける前記隙間部に対応する側は前記抑制部品に抵触されて通過するＢＢ弾に面方式で抵触する第２曲面部を備えることを特徴とする、請求項１に記載の銃本体の弾道調整構造。
【請求項５】
前記抑制部品における前記連動スリーブと隣り合う一側には、前記連動スリーブの抵触する位置を変化させることで前記抑制部品の傾斜角度が変わる斜面部が形成され、前記抑制部品における前記斜面部から離れた一側には、通過するＢＢ弾に面方式で抵触する第１曲面部が形成されることを特徴とする、請求項１に記載の銃本体の弾道調整構造。
【考案の詳細な説明】
【技術分野】
【０００１】
本考案は銃本体の弾道調整構造に関し、特に、弾道調整機構を銃身内に連結するとともに、銃弾の順回転力を安定して且つ精密に調整し、銃弾に順回転力を与える銃本体の弾道調整構造に関する。
【背景技術】
【０００２】
トイガンの弾薬は、重量、球体、大気抵抗のため、効果的に射程距離を制御することが難しい。前記弾薬を高圧気体によって銃身の後ろに上手く押し出してからも安定して飛ばすため、一般に銃弾に順回転の動力を与える。
【０００３】
従来の順回転調整機構は、銃身の外に連結されるとともに、銃身の後端に固定されている。よって、銃身を取り替える必要がある時、先に順回転調整機構を解体してからでなければ取り替えることができず、設計が異なるために銃身を交換することさえできない場合もある。さらに、従来の順回転調整機構の調整方法は、比較的粗末であり、ラッチまたはダイヤルの方式で調整するのが一般的である。一段階調整するごとに順回転力が大幅に変化することで、弾道の調整精度を制御することがさらに難しくなる。
【０００４】
弾道精度に配慮する場合、鋼球またはその他の突起物が沈む深さによって、銃弾の順回転の度合いを微調整する方法がある。高精度の微調整動作であるため、毎回引き金を引く断続的なプロセスにおいて弾道を修正しなければならないため、例えば、銃を持つ際の安定性を高める、調整動作を小さくする等、できる限り人為的な不安定要素を排除する必要がある。しかしながら、この調整方法は、少なくとも銃を握る１本の手を使うことができないため、手を銃身の後端の順回転調整機構の位置まで移動させて調整するが、この動作によって銃が揺れてしまい、弾道を微調整する意味がなくなる。
【考案の概要】
【考案が解決しようとする課題】
【０００５】
本考案の主な目的は、調整ユニットを螺合部によって比較的精密に調整することで、順回転力を微調整する目的を達成し、効果的に弾道の修正することである。
【０００６】
本考案の別の主な目的は、弾道調整機構を銃身内に連結することで、使用者が銃身を取り替えやすいようにするとともに、銃身前端の調整ユニットを直接微調整できるようにし、調整プロセスにおける安定性を向上させることである。
【課題を解決するための手段】
【０００７】
本考案は、銃身内に連結されており、その主な構造は、銃身前端に設けられる調整ユニットからなる。銃身内には調整ユニットに抵触する連結管体が設けられ、調整ユニットによって移動するとともに、調整ユニットには銃身に螺設された複数の螺合部が形成され、調整ユニットを微調整する。連結管体における調整ユニットから離れた一端には少なくとも１つの連動スリーブが設けられるとともに、連動スリーブの一側には抑制部品が設けられ、連動スリーブが抵触することで銃身の内側を押圧する。
【考案の効果】
【０００８】
本考案において弾道を調整する場合、銃身前端の調整ユニットを軽く回転するだけでよいため、調整プロセスにおいて銃が揺れないとともに、螺合部の效果によって、連結管体が移動する深さを少しずつ増すため、連結管体の他端の連動スリーブは抑制部品に抵触する位置をゆっくりと変える。さらに抑制部品によって銃身の内側を少しずつ押圧し、銃身の内壁の上縁を凹形状にすることで、銃身内を移動中のＢＢ弾の上縁に摩擦力を生じさせてＢＢ弾に順回転力を与えるため、銃身の引き金を引くと浮動の応力を備えるとともに、調整ユニットを微調整することで、ＢＢ弾の弾道が正確に変わる。さらに、本考案は銃身内に直接連結されるため、銃身の取り替えをさらに便利にすることができる。これにより従来のトイガンの弾道調整方法に存在する問題を解決し、上述の効果が達成される。
【図面の簡単な説明】
【０００９】
【図１】本考案の斜視透視図である。
【図２】本考案における銃身前端の局部断面図である。
【図３】本考案における銃身後端の局部断面図である。
【図４】本考案における抑制部品及び可撓性管体の構造を示した図である。
【図５】本考案の調整を示した第１図である。
【図６】本考案の調整を示した第２図である。
【図７】本考案の連動を示した第１図である。
【図８】本考案の抑制を示した図である。
【図９】本考案の連動を示した第２図である。
【図１０】本考案における銃身の取り替えを示した図である。
【考案を実施するための形態】
【００１０】
図１〜図４に示すように、本考案は、銃身１内に連結されるとともに、銃身１は、外管部１１と、外管部１１の中に設けられてＢＢ弾を移動させる内管部１２と、外管部１１と内管部１２の間に形成される少なくとも１つの活動空間１３と、からなる。本考案の主な構造は、調整ユニット２と、複数の位置決め溝２２１と、少なくとも１つの位置決め凸部１４２と、弾性部品１４３と、連結管体３と、複数の螺合部２１と、複数の内ねじ部１４１と、少なくとも１つの連動スリーブ４と、リセット部品４３と、抑制部品５と、斜面部５１と、第１曲面部５２と、固定ユニット６とを備える。
【００１１】
調整ユニット２は銃身１の前端に設けられ、調整ユニット２は、下記の連結管体３を移動させる内部調節部２２と、外管部１１と内部調節部２２の間に螺設される外部調節部１４を備える。
【００１２】
複数の位置決め溝２２１は、内部調節部２２の外環壁上に形成される。
【００１３】
少なくとも１つの位置決め凸部１４２は、外部調節部１４上に設けられる。
【００１４】
少なくとも１つの弾性部品１４３は、両端が位置決め凸部１４２及び前記銃身１の内壁にそれぞれ連結される。
【００１５】
連結管体３は、銃身１内に設けられるとともに、調整ユニット２に抵触し、調整ユニット２によって移動する。
【００１６】
複数の螺合部２１は、調整ユニット２上に形成されるとともに、銃身１に螺設され、調整ユニット２を微調整する。
【００１７】
複数の内ねじ部１４１は、外部調節部１４の内壁に位置し、螺合部２１と対応して連結される。
【００１８】
少なくとも１つの連動スリーブ４は、連結管体３における調整ユニット２から離れた一端に設けられ、連動スリーブ４は、少なくとも１つの下記の抑制部品５に抵触する抵触部４１と、連動スリーブ４を安定して水平に移動させるための、少なくとも１つの内管部１２を被覆するとともに外管部１１の内側壁に抵触するリミット部４２とを備える。
【００１９】
リセット部品４３は、活動空間１３内に設けられるとともに、連動スリーブ４に連結され、連動スリーブ４を連結管体３の方向に移動させる。
【００２０】
抑制部品５は、連動スリーブ４の一側に設けられ、連動スリーブ４に抵触することで銃身１の内側を押圧する。
【００２１】
斜面部５１は、連動スリーブ４と隣り合う抑制部品５の一側に形成され、連動スリーブ４の抵触する位置を変化させることで抑制部品５の傾斜角度が変わる。
【００２２】
第１曲面部５２は、抑制部品５における斜面部５１から離れた一側に形成され、通過するＢＢ弾に面方式で抵触する。
【００２３】
固定ユニット６は、銃身１の後端に設けられるとともに、連動スリーブ４及び抑制部品５を固定し、銃身１及び調整ユニット２及び連結管体３を取り外して銃本体に連結することができる。
【００２４】
内管部１２には、隙間部１２１が備えられるとともに、内管部１２には、可撓性スリーブ１５が設けられ、可撓性スリーブ１５における隙間部１２１に対応する側には第２曲面部１５１が備えられ、抑制部品５に抵触されて通過するＢＢ弾に面方式で抵触する。
【００２５】
図１〜図１０に示すように、本考案の主な構造は、銃身１内に連結されることで、使用者が銃身１を取り替えるのに有利であるとともに、使用者がＢＢ弾の弾道を調整しようとする場合、調整ユニット２を直接回転させることで連結管体３に抵触し、さらに連動スリーブ４を連動することで、抑制部品５を銃身１内に押圧することによって順回転力を調整する目的が達成される。
【００２６】
図５に示すように、実際に操作する際には、外部調節部１４は外管部１１内に固設されるため、調整ユニット２の内部調節部２２により、内ねじ部１４１と螺合部２１が対応して移動することで、内部調節部２２は外部調節部１４の内壁に沿って連結管体３を押し込む。そのうち、螺合部２１のピッチが極めて小さいため、使用者は、比較的精密に微調整することができるとともに、図６に示すように、内部調節部２２上の位置決め溝２２１は、位置決め凸部１４２と弾性部品１４３の連動にに係合でき、調整ユニット２の調整動作の位置決めを行うことで、前記位置決め溝２２１は、３０度の等距離間隔で内部調節部２２の外環壁に均一に分布され、使用者が、調整ユニット２を一回回転するごとに、１２段階の位置決め効果を備える。さらに、調整ユニット２が押し込むことによって、内管部１２の外で被覆される連結管体３の他端は、同時に連動スリーブ４（図７に図示）を後ろに押し込むとともに、連動スリーブ４が押されて移動すると、リミット部４２によって外管部１１の内壁に当接し、活動空間１３内で安定して水平移動することができる。これにより抵触部４１が抑制部品５に加える外力が安定して増大する。
【００２７】
さらに、図７〜図８に示すように、連動スリーブ４が移動すると、抵触部４１は、斜面部５１に抵触する位置を変え続けるとともに、前記位置が変わることによって、抑制部品５は、下への傾斜角度を変える。さらに銃身１の内側を抑制するとともに、抑制部品５の底部には第１曲面部５２が形成されるため、内管部１２上の可撓性スリーブ１５に均一に圧力がかかるとともに、可撓性スリーブ１５の内側にも第２曲面部１５１が備えられることで、隙間部１２１を通過するＢＢ弾が第２曲面部１５１によって摩擦されて順回転力が生じる（可撓性スリーブ１５の設計を使用せず、抑制部品５の第１曲面部５２によって直接作用することもできる）。また、第２曲面部１５１の曲度がＢＢ弾の外形と一致するため、ＢＢ弾の摩擦效果は、面方式で抵触され、従来の単点方式で抵触される場合と違って、安定した順回転の效果を提供することができ、側向きに回転する可能性を少なくする。
【００２８】
使用者が調整ユニット２を逆方向に回転させると、内部調節部２２が前に移動するほか、図９に示すように、連動スリーブ４もリセット部品４３に押されることで連結管体３の方向に移動するとともに、連結管体３を内部調節部２２に抵触する状態に保つ（図２に図示）。このように、調整ユニット２は、使用者が自由に調整できるようにする。
【００２９】
図１０に示すように、使用者が銃身１を取り替えようとする際、固定ユニット６は連動スリーブ４及び抑制部品５を簡単に固定する効果を備えるため、外管部１１上の固定部１１１を緩めるだけで、銃身１を取り外すことができる。調整ユニット２及び銃身１及び連結管体３を取り外して、それと固定ユニット６及び連動スリーブ４及び抑制部品５を互いに分離できるため、使用者は、銃身１を簡単に取り替えることができる。
【符号の説明】
【００３０】
１      銃身
１１    外管部
１１１  固定部
１２    内管部
１２１  隙間部
１３    活動空間
１４    外部調節部
１４１  内ねじ部
１４２  位置決め凸部
１４３  弾性部品
１５    可撓性スリーブ
１５１  第２曲面部
２      調整ユニット
２１    螺合部
２２    内部調節部
２２１  位置決め溝
３      連結管体
４      連動スリーブ
４１    抵触部
４２    リミット部
４３    リセット部品
５      抑制部品
５１    斜面部
５２    第１曲面部
６      固定ユニット
【図１】
0003214264.tif 000003
【図２】
0003214264.tif 000004
【図３】
0003214264.tif 000005
【図４】
0003214264.tif 000006
【図５】
0003214264.tif 000007
【図６】
0003214264.tif 000008
【図７】
0003214264.tif 000009
【図８】
0003214264.tif 000010
【図９】
0003214264.tif 000011
【図１０】
0003214264.tif 000012